(57)【要約】      （修正有）【課題】上衣の内側の襟みつの直下に、着脱可能な状態で、磁石を内包した帯状布部材を取り付けた上衣を提供する。【解決手段】上衣１は、表地２と裏地５とを備えている。さらに、上衣１は、襟みつ３に縫い込まれたループを備えており、このループに帯状布部材１０に縫いつけられたボタンが係止されることで、帯状布部材１０がループに取り外し可能に装着される。帯状布部材１０は、炭素１００％から成る繊維で形成されることで、血行促進と消臭の効果を備えることができ、更に複数の磁石を内包することで更なる血行促進効果を得ることができる。【選択図】図１
0003159605.tif 000002
【実用新案登録請求の範囲】
【請求項１】
表地と裏地とを備えている襟付きの上衣であって、
襟みつの直下であって表地と裏地との間の位置には少なくとも一つの取付部が設けられており、
帯状布部材が、前記取付部に取り外し可能に装着されることを特徴とする上衣。
【請求項２】
前記取付部が、前記襟みつに縫い込まれたループであり、
前記帯状布部材に縫いつけられたボタンを前記ループに係止することで、前記帯状布部材が前記ループに取り外し可能に装着されることを特徴とする請求項１に記載の上衣。
【請求項３】
前記帯状布部材が、炭素１００％から成る繊維で形成されており、複数の磁石を内包していることを特徴とする請求項１に記載の上衣。
【考案の詳細な説明】
【技術分野】
【０００１】
本考案は、内側に帯状の布部材を取り付けることのできる上衣に関する。特に、襟みつの直下の表地と裏地の間に、磁石を内包した帯状の布部材を着脱可能に取り付けることのできる上衣に関する。
【背景技術】
【０００２】
磁石を身につけることで血行が良くなることが知られている。特に首や肩の周辺に磁石を装着すると、血行が良くなることで、肩こりが緩和されるという効果が期待できる。そこで、下着や上着の首や肩の部分に、磁石を貼り付けたり、縫い込んだりして固定する技術が知られている。特許文献１には、半球形の磁石を取り付けた衣類の肩パットが開示されている。特許文献１の磁石を備えた肩パットは、衣類に縫い付けられて固定されることが好ましいとされている。
【０００３】
また従来から、様々な機能を備える繊維を用いた衣類が知られている。特許文献２には、脱臭機能を有する繊維を、前身頃と肩すべりに裏地として取付け、且つ肩パット部分に接着芯地として取り付ける技術が開示されている。ここで開示されている技術は、いずれも、衣類に他の機能を加えるために、種々の部材を縫い付けて固定したものである。
【０００４】
また一方で、特許文献１には、磁石を備えた肩パットをスナップ止めによって取り外し可能に衣類に取り付けるとの記載がある。しかしながら、上衣の肩や首周りにスナップで追加の部材を取り付ける場合には、スナップが取り付けられる箇所の生地に、スナップの複数回の着脱に耐えられる程度の強度が必要となる。またスナップを取り付けるための縫い目が外側に現れないことが外観上好ましい。このため、スナップの取り付け箇所は、縫い代や衿芯地の部分などに限定される。
【先行技術文献】
【特許文献】
【０００５】
【特許文献１】実開平０５−９５５５１号公報
【特許文献２】特開平７−２３８４７０号公報
【考案の概要】
【考案が解決しようとする課題】
【０００６】
衣類に別体の布部材を取り付ける場合には、洗濯などの際に取り外せるよう、着脱可能な形態で取り付けられることが好ましい。そこで、衣類に着脱可能に別体の布部材を取り付ける方法として、スナップを用いた方法が提案されている。しかしながら、上衣の肩や首周りの部分に別体の布部材を着脱可能に取り付ける場合、スナップを用いて取り付けを行うには、取り付け箇所の強度の問題と、外観上の問題を解決する必要があった。
【０００７】
本考案は上記問題点に鑑みてなされたものであって、上衣の内側の襟みつの直下に、着脱可能な状態で、別体の布部材を取り付ける技術を提供するためになされたものである。
【課題を解決するための手段】
【０００８】
本考案は、表地と裏地とを備えている襟付きの上衣に関する。本考案の上衣は、襟みつの直下であって表地と裏地との間の位置に、少なくとも一つの取付部が設けられている。そして帯状布部材が、取付部に取り外し可能に装着されることを特徴とする。
【０００９】
また本考案の上衣は、取付部が、襟みつに縫い込まれたループであり、帯状布部材に縫いつけられたボタンがループに係止されることで、前記帯状布部材が前記ループに取り外し可能に装着されることを特徴とする。本考案の上衣は、ループが襟みつに縫い込まれており、上衣の表地或いは裏地に別途帯状布部材の取付部を設ける必要がない。
【００１０】
さらにまた本考案の上衣は、帯状布部材が、炭素１００％から成る繊維で形成されており、複数の磁石を内包していることを特徴とする。
【考案の効果】
【００１１】
本考案の上衣は、襟みつの直下に設けられた取付部に、帯状布部材が取り外し可能に装着されている。帯状布部材は、不要なときには容易に取り外しておくことができる。また、襟みつの直下に設けられた複数の取付部に、帯状布部材が装着されることで、帯状布部材を、着用者の首と肩の周辺に沿うように配置することができる。
【００１２】
本考案の上衣は、襟みつの直下の表地と裏地との間に設けられた取付部に、帯状布部材が取り外し可能に装着されている。帯状布部材が、表地と裏地との間に配置されることにより、上衣を脱いだときにも帯状布部材が目立たず、外観のファッション性が保たれる。
【００１３】
本考案の上衣の取付部は、襟みつに縫い込まれたループで構成することができる。ループは、襟みつを縫合するときに同時に縫い込むことが可能であるので、取り付けのための特別な作業が不要であり、効率よく取付部を形成することができる。
【００１４】
上衣の襟みつは、襟と後ろ身頃とが縫い合わされている部分であるので、複数枚の布が重ね合わされた構造となっており、取付部であるループを固定するための充分な強度を備えている。本考案の上衣のループは、この襟みつに縫い込まれているために、布状帯部材のボタンが複数回着脱されたとしても、ループが外れたり表地が伸びたりする不具合が発生しない。
【００１５】
本考案の上衣は、ループが襟みつに縫い込まれており、後ろ身頃や襟の表地には、ループを取り付けるための縫い目が現れることがない。この結果、本考案の上衣は、優れた外観を保つことができる。  
【００１６】
本考案の上衣は、帯状布部材に縫いつけられたボタンがループに係止されることで、帯状布部材がループに取り外し可能に装着される。このボタンとループの係止位置は、襟と後ろ身頃の生地が縫い合わされて厚みのある襟みつの直下にあるために、着用時に、ボタンとループの係止箇所の厚みが目立つことがない。また着用者に対して着用時の違和感をほとんど与えない。
【００１７】
本考案の上衣は、帯状布部材が、炭素１００％から成る繊維で形成されることができる。この帯状部材が複数の磁石を内包していることにより、着用者の首の付け根付近に磁石を配置することが可能となり、着用者の血行を促進して肩こりを緩和することができる。
【００１８】
炭素１００％から成る繊維で形成された帯状布部材は、遠赤外線の放出効果が認められるため、磁石との相乗効果で一層血行を改善することができる。また炭素１００％から成る繊維は、活性炭のように消臭効果を得ることができる。
【図面の簡単な説明】
【００１９】
【図１】本考案の帯状布部材１０を備えた上衣の一実施例であるスーツの上着１を示す正面図である。
【図２】図２（ａ）は、本考案に係る帯状布部材１０の正面図であり、図２（ｂ）は、本考案に係る帯状布部材１０の背面図である。
【図３】図１の上着１の、帯状布部材１０を外し、裏地５を折り返した状態の部分拡大図である。
【図４】図３の上着１の複数のループ４に帯状布部材１０のボタン１１を係止した状態の部分拡大図である。
【図５】図３の上着１の帯状布部材１０を上側に折り返した状態の部分拡大図である。
【考案を実施するための形態】
【００２０】
本考案の最適な実施の形態の上衣は、襟を備えており、少なくとも後ろ身頃の一部に裏地５が付けられている。以下に、本考案を実施するための形態について、図面を参照しつつ実施例によって詳細に説明する。
【実施例】
【００２１】
以下に、本考案に係る上衣の一実施例であるビジネススーツの上着１について詳細に説明する。図１は、上着１の正面図であって、後ろ身頃の裏地のうち破断線Ａの右側部分を省略して示した図である。上着１には、襟みつ３の直下の表地２と裏地５の間の位置に、帯状布部材１０が、取り外し可能に装着されている。帯状布部材１０が表地２と裏地５との間に配置されることにより、上着１を脱いだときにも裏地５に遮られることで帯状布部材１０が外部から見えないため、上着１のファッション性が保たれる。
【００２２】
図２（ａ）に、帯状布部材１０の上面図（正面図）を示し、図２（ｂ）に、帯状布部材１０の下面図（背面図）を示す。本実施例における帯地状布部材１０は、長尺で両端部が略円形に形成されている上側布片１３と、上側布片１３と略同一の形状を備えた下側布片１４とを重ね合わせて、周縁部をバイアステープ１５で縁取りするように縫い合わせて形成されている。図２に示した帯状布部材１０は、長さ約１７．５ｃｍ、中央部の幅が約３．５ｃｍとなるように形成されており、上衣１の襟みつに取り付けられた時に、後ろ身頃上部の一部に対向する。帯状布部材１０の下側布片１４には、中央部に１個のボタン１１が配置されており、さらにその中央部から左右均等な間隔をあけた位置に各１個のボタン１１が配置されている。
【００２３】
図３に、帯状布部材１０を外して、裏地５を上方に折り返した状態の上衣１の部分拡大図を示す。襟みつ３の直下に、帯状布部材１０の取付部としての機能を有するループ４が設けられている。ループ４は、後ろ身頃の後ろ中心線の真上と、後ろ中心線から左右均等な間隔をあけた位置に、合計３箇所配置されている。それぞれのループ４の間の間隔は、帯状布部材１０のボタン１１の間隔と同一となるように調整されている。
【００２４】
本実施例のループ４の円周の長さは、ボタン１１を通過させて係止させることが可能な長さに調整されている。好ましくは、ループ４には、上着１の表地２又は裏地５のいずれか一方と同一の生地を袋状に縫い合わすことで形成された、ひも状の部材が用いられる。ループ４は、このひも状の部材の両端部を、襟６と後ろ身頃の表地２と裏地５とが縫い合わせて襟みつ３が形成されるときに、同時に縫い込むことで形成される。このようにループ４が形成されることにより、ループ４は、取り付けのための特別な作業を必要とせず、通常の縫製の工程の中で効率よく上着１に縫い合わされる。また、ループが襟みつ３に縫い込まれることで、上着１の表地２の表側には、ループ４を取り付けるための縫い目が全く現れない。このように本考案の上衣１は、ループ４が取り付けられていることが外側から全く認識されないため、通常のビジネススーツの上衣１と全く同等の外観を有しており、そのデザイン性に優れている。
【００２５】
さらに本考案の上衣１の襟みつ３は、襟６と後ろ身頃の表地２と裏地５とが縫い合わされて形成されており、複数枚の布が重ね合わされている部分であるので、他の部分と比較すると厚地となっており、ループ４とボタン１１との複数回の着脱にも充分な強度を備えており、特段の補強を必要としない。さらにまた、ボタン１１とループ４の係止位置は、このような厚みのある襟みつ３の直下となるために、ボタン１１とループ４とが重なっていることによる厚みが外観上目立つことがない。
【００２６】
上衣１の襟みつ３に縫い込まれて固定されている３箇所のループ４に対して、帯状布部材１０に縫いつけられた３個のボタン１１が１つずつ係止されることで、帯状布部材１０がループ４に取り外し可能に装着される。図４に、上着１の襟みつ３の直下に配置された３箇所のループ４に、帯状布部材１０の３つのボタン１１を係止して、帯状布部材１０を固定した状態の部分拡大図を示す。また、図５に、図４の上着１の帯状布部材１０を上側に折り返した状態の部分拡大図を示す。このように、ボタン１１によってループ４に着脱可能に取り付けられた帯状布部材１０は、着用者の肩と首筋に対応する位置に配置される。帯状布部材１０は、上着１にボタン１１によって３箇所で係止されていることで、着用者の肩や首の形状に個人差がある場合であっても、若干の余裕を持って体に沿うように配置されることになる。また着用者は、本実施例の上着１を着用している時、帯状布部材１０との間に裏地５を介在させることになる。その結果、上着１の着用者は、帯状布部材１０が襟みつ３の直下に配置されていることにほとんど全く違和感を感じない。
【００２７】
帯状布部材１０は、炭素１００％から成る繊維で形成されていることが好ましい。帯状布部材１０を形成する繊維として例えば、植物性セルロースの繊維を、高熱炭化した炭素１００％の繊維であるセラスメディコ社製のオルガヘキサ（商品名）を使用することができる。オルガヘキサは遠赤外線の放射効果があり、血行を促進する効果が得られる。またオルガヘキサは、表面に多くの小孔を備えており、１ｇあたりの表面積が約１３００平方メートルあるので、種々の臭いを吸着することが可能であり、身につけることで消臭効果が得られる。オルガヘキサからなる帯状布部材１０が首筋から肩に掛けて配置されることで、汗の臭いや、たばこの臭いを吸着して消臭する効果が得られる。
【００２８】
また帯状布部材１０は、上側布片１３と下側布片１４との間に、複数の磁石１２を内包することができる。図２に示す本実施例の帯状布部材１０は、中央部に１個と、中央部から左右均等な位置に１個ずつ、合計３個の磁石１２を内側に保持している。磁石１２は、周囲が縫製されることで帯状布部材１０に内包されている。本実施例における磁石１２は、直径約１ｃｍの円形の永久磁石であり、１４０ｍＴの磁力を備えている。帯状布部材１０が永久磁石１２を内包することによって、着用者は肩と首の血行が促進され、肩こりが軽減される。磁石の配置する位置とその数、及び磁石の磁力については、適宜変更が可能である。
【００２９】
帯状布部材１０の中に磁石１２が内包されている場合、上衣１の洗濯時に帯状布部材１０を取り外すことは、磁石１２に強い衝撃が加わることを回避したり、磁石１２の紛失を防止するために好ましいとされる。また例えば磁気カードなどと一緒に上衣１を収納する時に帯状布部材１０を取り外すことは、磁気カードの保護のために好ましいとされる。
【００３０】
以上、実施例において本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば実施例では、上衣１に３箇所のループを設け、これに帯状布部材１０の３つのボタン１１を係止する構成について説明したが、取付部の数は適宜変更が可能である。また、襟みつ３側にボタン１１を設け、帯状布部材１０側にループ４を設けることも可能である。
【符号の説明】
【００３１】
１    上着
２    表地
３    襟みつ
４    ループ
５    裏地
６    襟
１０  帯状布部材
１１  ボタン
１２  磁石
１３  上側布片
１４  下側布片
１５  バイアステープ
【図１】
0003159605.tif 000003
【図２】
0003159605.tif 000004
【図３】
0003159605.tif 000005
【図４】
0003159605.tif 000006
【図５】
0003159605.tif 000007